(57)【要約】【課題】局部的な振動マッサージが得られるマッサージ機を提供することを目的とする【解決手段】マッサージ機本体に、振動を発生して使用者に振動マッサージ８を施す振動マッサージ装置を備えたマッサージ機において、前記振動マッサージ装置８は、防振部材１０を介して前記マッサージ機本体に取り付けられている。【選択図】　　　図４
2004081510.tif 000002
【特許請求の範囲】
【請求項１】
マッサージ機本体に、振動を発生して使用者に振動マッサージを施す振動マッサージ装置を備えたマッサージ機において、
前記振動マッサージ装置は、防振部材を介して前記マッサージ機本体に取り付けられていることを特徴とするマッサージ機。
【請求項２】
マッサージ機本体に、振動を発生して使用者に振動マッサージを施す振動マッサージ装置を備えたマッサージ機において、
前記マッサージ機本体は、前記振動マッサージ装置が取り付けられる位置に凹部を備え、
前記振動マッサージ装置は、前記凹部に対して浮いた状態で防振部材を介して前記マッサージ機本体に取り付けられていることを特徴とするマッサージ機。
【請求項３】
前記振動マッサージ装置は、前記防振部材によって前記凹部から使用者側へ突出する方向に付勢されており、
前記マッサージ機本体は、前記振動マッサージ装置の突出を抑制するように前記振動マッサージ装置を含めて覆う表面シート材を備えていることを特徴とする請求項２に記載のマッサージ機。
【請求項４】
振動を発生して使用者に振動マッサージを施す振動マッサージ装置を備えたマッサージ機であって、
マッサージ機本体と、
当該マッサージ機本体の表面を覆うように張設された表面シート材と、
当該表面シート材によって覆われた範囲においてマッサージ機本体に形成された開口面と、
前記表面シート材の裏側において当該開口面の少なくとも一部を覆うように前記マッサージ機本体に設けられた防振シートと、を備え、
前記振動マッサージ装置は、前記開口面の範囲内で前記防振シートと前記表面シート材とに挟まれて支持されていることを特徴とするマッサージ機。
【請求項５】
前記マッサージ機本体は、肘掛け部を有する椅子型に構成され、
前記振動マッサージ装置は、前記肘掛け部に配置されていることを特徴とする請求項１〜４のいずれかに記載のマッサージ機。
【請求項６】
前記マッサージ機本体は、座部を有する椅子型に構成され、
前記振動マッサージ装置は、前記座部に配置されていることを特徴とする請求項１〜５のいずれかに記載のマッサージ機。
【請求項７】
前記マッサージ機本体は、脚載せ部を有する椅子型に構成され、
前記振動マッサージ装置は、前記脚載せ部に配置されていることを特徴とする請求項１〜６のいずれかに記載のマッサージ機。
【発明の詳細な説明】
【０００１】
【発明の属する技術分野】
本発明は、振動を発生して使用者に振動マッサージを施す振動マッサージ装置を備えたマッサージ機に関するものである。
【０００２】
【従来の技術】
振動マッサージ装置を備えたマッサージ機としては、例えば、特開平１０−１７９６７５号公報（段落［００１８］，段落［００２５］、第１−３図）に記載されたもの（以下、先行技術という）がある。
この先行技術は、肘受け部材に収納凹部を形成し、収納凹部に振動式マッサージ器を収納したものである。この振動式マッサージ器は、振動発生機構をやや硬目のスポンジなどで構成された外装体の内側に収納してなる。振動式マッサージ器の外装体は、肘受け部材から突出しており、この外装体の上に肘や手を載せることで、振動発生機構から発生した振動が外装体に伝えられ、外装体の振動によって肘や手がマッサージされる。
【０００３】
【発明が解決しようとする課題】
先行技術では、外装体が肘受け部材に接して直接設けられているため、外装体の振動は、使用者の身体だけではなく、肘受け部材にも与えられ、肘受け部材全体が振動する。このため、振肘受け部材に載っている腕全体の広い範囲に対して振動が与えられることになる。
しかし、広い範囲に全体的に振動を付与すると、所望される部位への局部的なマッサージが効果的に得られず、マッサージ感が低下する。
特に、肘受け部材は、金属、木、合成樹脂等の比較的振動を伝達しやすい材質によって形成されているため、肘受け部材に振動式マッサージ器を設ける場合には、局部的なマッサージ感が失われやすい。
本発明は、かかる問題に鑑みてなされたものであって、局部的な振動マッサージが得られるマッサージ機を提供することを目的とする。
【０００４】
【課題を解決するための手段】
本発明は、マッサージ機本体に、振動を発生して使用者に振動マッサージを施す振動マッサージ装置を備えたマッサージ機において、前記振動マッサージ装置は、防振部材を介して前記マッサージ機本体に取り付けられていることを特徴とする。
防振部材を介して振動マッサージ装置が取り付けられているため、振動マッサージ装置の振動がマッサージ機本体に伝わることが防止されている。したがって、マッサージ機本体から使用者に伝わる振動が少なくなり、専ら振動マッサージ装置からの局部的な振動が使用者に与えられる。
【０００５】
また、他の観点から見た本発明は、マッサージ機本体に、振動を発生して使用者に振動マッサージを施す振動マッサージ装置を備えたマッサージ機において、前記マッサージ機本体は、前記振動マッサージ装置が取り付けられる位置に凹部を備え、前記振動マッサージ装置は、前記凹部に対して浮いた状態で防振部材を介して前記マッサージ機本体に取り付けられていることを特徴とする。
マッサージ機本体の凹部に直接接するように振動マッサージ装置を設けるのではなく、凹部から浮いた状態で振動マッサージ装置を設けることで、マッサージ機本体の凹部に振動が伝わり難くなる。したがって、マッサージ機本体から使用者に伝わる振動が少なくなり、専ら振動マッサージ装置からの局部的な振動が使用者に与えられる。
【０００６】
また、前記振動マッサージ装置は、前記防振部材によって前記凹部から使用者側へ突出する方向に付勢されており、前記マッサージ機本体は、前記振動マッサージ装置の突出を抑制するように前記振動マッサージ装置を含めて覆う表面シート材を備えているのが好ましい。この場合、振動マッサージ装置が突出方向に付勢されているため、使用者との当接状態が良好である。しかも、表面シート材によって振動マッサージ装置の突出が抑えられているので、外観上優れている。また、防振部材によって局所的な振動が確保されているため、振動マッサージ装置の突出を抑えても、確実に局所的な振動マッサージが行える。
【０００７】
さらに他の観点からみた本発明は、振動を発生して使用者に振動マッサージを施す振動マッサージ装置を備えたマッサージ機であって、マッサージ機本体と、当該マッサージ機本体の表面を覆うように張設された表面シート材と、当該表面シート材によって覆われた範囲においてマッサージ機本体に形成された開口面と、前記表面シート材の裏側において当該開口面の少なくとも一部を覆うように前記マッサージ機本体に設けられた防振シートと、を備え、前記振動マッサージ装置は、前記開口面の範囲内で前記防振シートと前記表面シート材とに挟まれて支持されていることを特徴とする。
この場合、振動マッサージ装置は、前記開口面の範囲内で前記防振シートと前記表面シート材とに挟まれて支持されているため、マッサージ機本体へ振動が伝わりにくく、専ら振動マッサージ装置からの局部的な振動が使用者に与えられる。
【０００８】
また、本発明においては、前記マッサージ機本体は、肘掛け部を有する椅子型に構成され、前記振動マッサージ装置は、前記肘掛け部に配置されているのが好ましい。あるいは、前記マッサージ機本体は、座部を有する椅子型に構成され、前記振動マッサージ装置は、前記座部に配置されていてもよい。もしくは前記マッサージ機本体は、脚載せ部を有する椅子型に構成され、前記振動マッサージ装置は、前記脚載せ部に配置されていてもよい。
【０００９】
【発明の実施の形態】
以下、本発明の好ましい実施形態を図面に基づいて説明する。
図１は、椅子型に構成されたマッサージ機本体１を有する椅子型マッサージ機を示している。
マッサージ機本体１は、座部２と、座部２の左右両側に配置された肘掛け部３，３とを備えている。座部２の後部には背もたれ部４が備えられ、座部２の前部には脚載せ部５が備えられている。なお、座部２は、左右両側から下方に延びる支持脚６によって支持されている。
【００１０】
背もたれ部４は、リクライニング可能に設けられ、内部に背マッサージ装置４１を備えて、使用者の背中に揉み・叩き等のマッサージを施すことができる。背マッサージ装置４１は背もたれ部内において昇降可能に設けられている。
脚載せ部５は、左右方向の軸心まわりに上下に回動可能に設けられており、図１の状態から脚載せ部５を上昇させることによって、膝を伸ばした状態で脚を脚載せ部５に載せることができる。脚載せ部５は、左右に二つの溝部５１、５１を備えており、これらの溝部５１，５１に使用者の脚をそれぞれ入れることができる。
【００１１】
座部２，左右の肘掛け部３，３、脚載せ部５には、使用者に振動マッサージを施すための振動マッサージ装置７，８，９がそれぞれ備わっている。肘掛け部３の振動マッサージ装置８は、外装体（ケーシング）８１の内部に振動発生用モータ８２を設けて構成されている。モータ８２は、モータ軸８３に偏心して取り付けられた分銅（偏心体）８４を備えており、モータ軸８３が回転すると分銅８４が偏心状態で回転して振動が発生し、外装体８１全体を振動させる。外装体８１の振動によって使用者に振動マッサージを施すことができる。すなわち、外装体８１は、振動マッサージの施療子となっている。外装体８１の上部８１ａは、使用者への当接部であり、この上部８１ａは丸みを帯びた曲面となっており使用者への当接感を良好にしている。また、モータ８２からは、モータ８２に電力を供給するための配線８５が延設され、外装体８１の外部へ延びている。なお、振動マッサージ装置８についての以上の構成は、振動マッサージ装置７，９についても同様である。
【００１２】
以下では、振動マッサージ装置７，８，９のうち、図２〜図５に示す肘掛け部３の振動マッサージ装置８の取付構造に関して代表的に説明する。肘掛け部３は、腕を載せやすいように、前後方向に長い肘掛け部本体３１を備えており、この肘掛け部本体３１が振動マッサージ装置８の固定台となっている。肘掛け部本体３１は、合成樹脂製、金属製、又は木製などである。すなわち、振動マッサージ装置８の固定台が振動を伝達しやすい硬質の材質によって形成されている。なお、肘掛け部本体３１は支持部材３２を介して座部２の左右両側に取り付けられている。
【００１３】
図２に示すように、肘掛け部本体３１の上面（身体支持面）３１ａには、開口面３３が形成されている。この開口面３３は、上面３１ａに凹部３４を設けることによって形成されている。凹部３４は、肘掛け部本体上面３１ａよりも低い位置にある底面３４ａと、底面３４ａから肘掛け部本体上面３１ａへ向けて延びるように立設された側面３４ｂとを有して形成されており、凹部３４の上方が前記開口面３３となっている。凹部３４は、肘掛け部本体３１が合成樹脂製であれば成型時に形成でき、金属製であればプレス成形などによって形成でき、木製であれば切削によって形成できる。
【００１４】
肘掛け部本体３１には、前記開口面３３（凹部３４）をほぼ覆うようにシート状の防振部材（以下では、「防振シート」ともいう）１０が張設して上面３１ａに取り付けられている。防振部材１０は、防振性及び伸縮性を有する材料（防振伸縮部材）によって形成されており、具体的には防振ゴムである。
【００１５】
図３にも示すように、防振シート１０は、四方に延びる突出片１１，１１，１１，１１を有して十字状に形成されており、開口面３３のすべてを覆うのではなく、一部開口が残るように覆っている。すなわち、開口面３３は、矩形状であって、十字状防振シート１０は、開口面３３の４つの角部３３ａ，３３ｂ，３３ｃ，３３ｄを覆わない大きさに形成されている。十字状防振シート１０は、４つの突出片１１，１１，１１，１１が肘掛け部本体上面３１ａに重ねて置かれ、当該突出片１１，１１，１１，１１がピン等の取付具１２によって肘掛け部本体３１に取り付けられている。凹部３４の開口面３３を防振シート１０によって覆うことで、固定台である肘掛け部本体３１には上面が防振シート１０からなる内部空洞３５が形成されたことになる。
【００１６】
前記振動マッサージ装置８は、防振シート１０の上面（表面）１０ａに配置されている。振動マッサージ装置８は、外装体８１の下部８１ｂが両面テープなどの簡易な取付手段によって防振シート上面１０ａに取り付けられている。振動マッサージ装置８は、開口面３３（凹部３４）の範囲内で配置されており、換言すると、振動マッサージ装置８の背後に凹部３４による空洞３５が存在するように配置されている。したがって、振動マッサージ装置８は、凹部３４に対して浮いた状態で肘掛け部本体３１（マッサージ機本体１）に取り付けられているのである。
【００１７】
振動マッサージ装置８が防振シート１０を介して肘掛け部本体３１に取り付けられているため、肘掛け部本体３１に振動が伝わり難く、肘掛け部３の振動がほとんどなく、振動マッサージ装置８による腕又は手の所定の部位への局部的な振動マッサージが行える。しかも、振動マッサージ装置８が凹部３４の底面３４ａから浮いているため、防振シート１０による振動遮断効果が高く、肘掛け部本体３１への振動伝達を効率的に防止できる。
【００１８】
また、図４及び図５に示すように、肘掛け部本体３１（マッサージ機本体１）には、少なくとも肘掛け部本体上面３１ａを覆う表面シート材１４が設けられている。なお、図示のものでは、表面シート材１４は上面３１ａから下部両側部までの範囲をほぼ全体的に覆って肘掛け部本体３１が外観上表れないようにされている。この表面シート材１４は、布地又は皮革等の外装用シート材であり、肘掛け部本体３１の下部両側部付近などの目立たない部分でピンなどの取付具によって肘掛け部本体３１表面に張設されている。この表面シート材１４は、開口面３３の範囲も覆っており、したがって表面シート材１４の裏側に振動マッサージ装置８と防振シート１０が位置し、振動マッサージ装置８や防振シート１０が外観上表れないようになっている。
【００１９】
表面シート材１４は、振動マッサージ装置８を凹部３４内に押さえ付けて、振動マッサージ装置８が上方（使用者側）へ突出するのを抑制している。振動マッサージ装置８は、肘掛け部３の上面とほぼ同じ高さか、又はわずかに突出する高さにまで突出が抑制されている。本実施形態では、振動マッサージ装置８の突出量が少なく設定されているため、肘掛け部３としての外観が損なわれず、しかも肘掛け部３が単に腕を置くために使用される場合であっても、使用者の違和感が少ない。しかも、肘掛け部３に腕を置けば、防振シート１０の背後が空洞３５であるため防振シート１０の変形によってさらに振動マッサージ装置８を凹部３４内に押し込むことができ、違和感が一層軽減されている。すなわち、振動マッサージ装置８は、背後（下方）に空洞３５が位置した状態で防振シート１０と表面シート材１４とで挟まれて、凹部３４内で上下に浮動可能に支持されているのであり、浮動支持によって振動軽減と振動マッサージ装置８の違和感の軽減が図られている。
【００２０】
さらに、本実施形態では、防振部材１０によって局部的な振動マッサージが行えるようになっているため、振動マッサージ装置８の突出量を抑えても、局部的な振動マッサージを効果的に行える。
【００２１】
振動マッサージ装置８が下方に押し付けられた状態では、伸縮性を有する防振シート１０は、下方に向かって伸びるように弾性変形しており、振動マッサージ装置８を上方突出方向に付勢している。したがって、振動マッサージ装置８には、使用者の腕又は手への押し付け力が生じており、突出量が少なくとも使用者への密着性が良好となって効率的に振動マッサージを施すことができる。
【００２２】
振動マッサージ装置８は、表面シート材１４と防振シート１０とによって上下両側から挟まれているため、振動マッサージ装置８の防振シート１０への取付手段を両面テープのような簡素な取付手段にしても、振動マッサージ装置８は確実に支持される。
【００２３】
振動マッサージ装置８から伸びる配線８５は、防振シート１０によって覆われていない開口面３３の角部３３ｂから防振シート１０よりも下の空洞３５に通され、さらに凹部底面３４ａに形成された挿通孔３４ｃから肘掛け部本体３１の内部３１ｂに通されている。このように、防振シート１０の裏側に配線８５を通すことで、配線８５を肘掛け部本体３１の上面３１ａに通す必要がなくなり、肘掛け部３に腕を置く使用者の違和感がなくなる。防振シート１０の表面１０ａ側にある振動マッサージ装置８の配線８５を防振シートの裏側に通すには、防振シート１０によって覆われていない開口面３３の角部３３ｂを利用する他、防振シート１０に配線８５を通すための孔を形成しておいて、当該孔の範囲において開口面３３を覆わない部分を確保してもよい。
【００２４】
なお、以上のような振動マッサージ装置８の取付構造は、座部２の振動マッサージ装置７や脚載せ部５の振動マッサージ装置９，又はマッサージ機本体１の他の場所（例えば背もたれ部４）に設置される振動マッサージにも適用されている。
【００２５】
図６及び図７は、マッサージ機１の変形例を示しており、振動マッサージ装置８と防振シート１０との間に膨脹収縮する空気袋１６が設けられている。なお、図６及び図７において示す変形例に関し、説明を省略した点は、図１〜図５に示すものと同様である。
【００２６】
空気袋１６は、図示しない空気供給源から空気配管１７を介して供給される空気によって膨脹し、空気袋１６から空気が排出されることによって収縮するものである。なお、空気の供給と排出の切換は図示しない電磁切換弁によって行われる。空気袋１６を膨脹させることにより振動マッサージ装置８の突出量が大きくなって使用者への押し付け力が大きくなり一層効果的に振動マッサージを施すことができる。しかも、空気袋１６を収縮させることで、振動マッサージ装置８の突出量が小さくなって振動マッサージ装置８が不使用時に邪魔にならない。
【００２７】
空気袋１６によって振動マッサージ装置８が突出するので、空気袋１６収縮時においては、振動マッサージ装置８が全く突出しないようにすることもできる。また、空気袋１６の膨脹によって振動マッサージ装置８が身体を押圧するため、振動マッサージ装置８によって振動を発生させずに、空気袋１６の膨脹収縮だけを行って身体への押圧マッサージを行うこともできる。また、空気袋１８の配管１７は、角部３３ａを利用して防振シート１６の裏側に通され、さらに凹部底面３４ａの挿通孔１８から肘掛け部３の内部に通されている。
【００２８】
なお、本発明は、上記実施形態に限定されるものではなく、例えば、振動マッサージ装置は、マッサージ機本体１の任意の位置に設けることができる。
【図面の簡単な説明】
【図１】椅子型マッサージ機の斜視図である。
【図２】肘掛け部の分解斜視図である。
【図３】表面シート材を取り除いた状態の肘掛け部の平面図である。
【図４】図３のＡ−Ａ線断面図である（表面シート材を含む）。
【図５】図３のＢ−Ｂ線断面図である（表面シート材を含む）。
【図６】変形例に係る肘掛け部であって、表面シート材を取り除いた状態の平面図である。
【図７】図６のＣ−Ｃ線断面図である（表面シート材を含む）
【符号の説明】
１　マッサージ機本体
２　座部
３　肘掛け部
４　背もたれ部
５　脚載せ部
８　振動マッサージ装置
７　振動マッサージ装置
９　振動マッサージ装置
１０　防振部材；防振シート
１４　表面シート材
３１　肘掛け部本体
３３　開口面
３４　凹部
【図１】
2004081510.tif 000003
【図２】
2004081510.tif 000004
【図３】
2004081510.tif 000005
【図４】
2004081510.tif 000006
【図５】
2004081510.tif 000007
【図６】
2004081510.tif 000008
【図７】
2004081510.tif 000009